(57)【特許請求の範囲】
【請求項１】
画像形成装置であって、
原稿台に載置されている複数枚からなる原稿を１枚ずつ搬送する搬送手段と、
前記搬送手段によって搬送された原稿を読み取る読取手段と、
前記搬送手段によって搬送された原稿の枚数をカウントするカウント手段と、
前記カウント手段によってカウントされた前記原稿の枚数が予め定められた枚数に到達するまでは、前記搬送手段によって搬送された原稿の読み取りを行うよう前記読取手段を制御し、前記カウント手段によってカウントされた前記原稿の枚数が前記予め定められた枚数を超えると、前記搬送手段によって搬送された原稿の読み取りを行わず、読み取りが行われなかった原稿を排紙するよう制御する制御手段と、
を備えることを特徴とする画像形成装置。
【請求項２】
記録材に画像を形成する画像形成手段をさらに備え、
前記制御手段は、前記画像形成手段が前記読取手段によって読み取られた画像データを用いて記録材に画像を形成するコピージョブを実行する場合、前記カウント手段によってカウントされた前記原稿の枚数が予め定められた  枚数に達するまでは、前記読取手段によって原稿から読み取られた画像データを用いて、前記画像形成手段が記録材に画像を形成するよう制御し、前記カウント手段によってカウントされた前記原稿の枚数が前記予め定められた枚数を超えると、前記搬送手段によって搬送された原稿の読み取りも印刷も行わないように制御することを特徴とする請求項１に記載の画像形成装置。
【請求項３】
前記画像形成手段によって画像形成が行われた原稿の枚数と、画像形成が行なわれていない原稿の枚数とを表示する表示手段をさらに備える、ことを特徴とする請求項２に記載の画像形成装置。
【請求項４】
前記読取手段によって原稿から読み取られた画像データを蓄積する蓄積手段と、
前記蓄積手段に蓄積された画像データを外部装置に送信する送信手段とをさらに備え、
前記制御手段は、前記原稿台に載置されている全ての原稿の読み取りが完了した後に、前記蓄積手段に蓄積された画像データを前記送信手段によって前記外部装置に送信する一括送信ジョブを実行する場合、前記カウント手段によってカウントされた前記原稿の枚数が予め定められた枚数に達する前に前記原稿台の原稿が無くなったならば、前記蓄積手段によって蓄積された画像データを一括して外部装置に送信するよう制御し、前記カウント手段によってカウントされた前記原稿の枚数が予め定められた枚数に達したならば、前記蓄積手段によって蓄積された画像データの送信を制限する、ことを特徴とする請求項１に記載の画像形成装置。
【請求項５】
前記画像データの送信を制限する場合に、前記蓄積手段に蓄積された画像データを前記外部装置に対して送信するか否かを操作者に選択させる選択画面を表示する表示手段をさらに備え、
前記制御手段は、前記操作者が前記選択画面において送信することを選択した場合には、前記読取手段によって読み取られた原稿の画像データを送信することを特徴とする請求項４に記載の画像形成装置。
【請求項６】
前記読取手段によって原稿から読み取られた画像データを外部装置に送信する送信手段をさらに備え、
前記制御手段は、前記読取手段によって原稿から画像データが読み取られるごとに、前記外部装置に該画像データを送信する個別送信ジョブである場合に、前記カウント手段によってカウントされた前記原稿の枚数が予め定められた枚数に達するまでは、前記読取手段によって読み取られた画像データを前記外部装置に送信するよう制御し、前記カウント手段によってカウントされた前記原稿の枚数が前記予め定められた枚数を超えると、前記外部装置に通知することを特徴とする請求項１に記載の画像形成装置。
【請求項７】
前記制御手段は、前記外部装置に原稿の読取枚数が制限を超えたことを通知する、ことを特徴とする請求項６に記載の画像形成装置。
【請求項８】
画像形成装置の制御方法であって、
搬送手段が、原稿台に載置されている複数枚からなる原稿を１枚ずつ搬送する搬送ステップと、
読取手段が、前記搬送ステップにおいて搬送された原稿を読み取る読取ステップと、
カウント手段が、前記搬送ステップにおいて搬送された原稿の枚数をカウントするカウントステップと、
制御手段が、カウントされた前記原稿の枚数が予め定められた枚数に到達するまでは、前記搬送手段によって搬送された原稿の読み取りを行うよう前記読取手段を制御し、前記カウント手段によってカウントされた前記原稿の枚数が前記予め定められた枚数を超えると、前記搬送手段によって搬送された原稿の読み取りを行わず、読み取りが行われなかった原稿を排紙するよう制御する制御ステップと、を実行することを特徴とする画像形成装置の制御方法。
【請求項９】
請求項８に記載の画像形成装置の制御方法における各ステップをコンピュータに実行させるためのプログラム。
【発明の詳細な説明】
【技術分野】
【０００１】
本発明は、例えば、自動原稿搬送装置を備える画像形成装置、その制御方法及びプログラムに関するものである。
【背景技術】
【０００２】
複合機、ファクシミリ装置等の画像形成装置では、一度読み取りを開始すると、載置された原稿全てを排紙しないと正常終了できない構成の自動原稿搬送装置（ＡＤＦ）を搭載することがある。そのような構成のＡＤＦで、読取開始後に原稿を注ぎ足し、最大積載枚数以上の原稿の読み取りを行うと、ジャムやＡＤＦ故障、画質の劣化の原因となる可能性がある。この問題を解決するため、特許文献１には、ＣＣＤと、ＡＤＦに原稿があるか否かを検知するセンサと、原稿の通紙数をカウントするカウンタと、ＣＣＤの近傍の温度を検知するセンサとを有し、濃度キャリブレーションを行うタイミングを決定する複写装置が提案されている。これにより、特許文献１に記載の複写装置は、連続通紙における読取画質の劣化を低減している。
【先行技術文献】
【特許文献】
【０００３】
【特許文献１】特開２００４−１０４４８６号公報
【発明の概要】
【発明が解決しようとする課題】
【０００４】
しかしながら、上記従来技術ではＣＣＤ近傍の温度を検知するセンサが必要であるため、当該センサを設けることでコストを上げることとなる。また、最大積載枚数を超えた場合に、コピーやファクシミリ送信等のジョブを制御する中で、再度、濃度キャリブレーションを行うことは複雑な制御が必要である。つまり、ジャム、ＡＤＦ故障、及び画質の劣化を回避して最大積載枚数以上の原稿を扱う場合には、部品コストの増加と制御が複雑になるという問題がある。
【０００５】
本発明は、上述の問題に鑑みて成されたものであり、コストの増加及び制御の複雑化を抑制するとともに、最大積載枚数を超える原稿の処理を好適に制御する画像形成装置及びその制御方法を提供することを目的とする。
【課題を解決するための手段】
【０００６】
本発明は、画像形成装置として実現できる。画像形成装置は、原稿台に載置されている複数枚からなる原稿を１枚ずつ搬送する搬送手段と、前記搬送手段によって搬送された原稿を読み取る読取手段と、前記搬送手段によって搬送された原稿の枚数をカウントするカウント手段と、前記カウント手段によってカウントされた前記原稿の枚数が予め定められた枚数に到達するまでは、前記搬送手段によって搬送された原稿の読み取りを行うよう前記読取手段を制御し、前記カウント手段によってカウントされた前記原稿の枚数が前記予め定められた枚数を超えると、前記搬送手段によって搬送された原稿の読み取りを行わず、読み取りが行われなかった原稿を排紙するよう制御する制御手段と、を備えることを特徴とする。
【発明の効果】
【０００７】
本発明は、例えば、コストの増加及び制御の複雑化を抑制するとともに、最大積載枚数を超える原稿の処理を好適に制御する画像形成装置及びその制御方法を提供できる。
【図面の簡単な説明】
【０００８】
【図１】本実施形態に係る画像形成装置の構成例を示す斜視図である。
【図２】本実施形態に係る画像形成装置のハードウェア構成を示すブロック図である。
【図３】本実施形態に係るスキャナ部の主要構成及び読取動作を示す図である。
【図４】本実施形態に係るコピー制御の処理手順を示すフローチャートである。
【図５】本実施形態に係るコピー終了後に操作部１１１へ表示される表示画面５００の一例を示す図である。
【図６】本実施形態に係るファクシミリ送信制御の処理手順を示すフローチャートである。
【図７】本実施形態に係るファクシミリ送信を行うかを選択する際の選択画面７００の一例を示す図である。
【図８】本実施形態に係るＰＣスキャン送信制御の処理手順を示すフローチャートである。
【発明を実施するための形態】
【０００９】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確定されるのであって、以下の個別の実施形態によって限定されるわけではない。
【００１０】
＜画像形成装置の構成＞
以下では、図１乃至図８を参照して、本発明の実施形態について説明する。まず、図１を参照して、本実施形態における画像形成装置の構成例について説明する。ここでは、画像形成装置の一例として、マルチファンクションプリンタ（以下、ＭＦＰと称する。）を例に説明する。しかし、本発明は、ファクシミリ装置、スキャナ装置等の自動原稿搬送装置（ＡＤＦ）を備える画像形成装置であればよい。なお、ＭＦＰのプリント方式は、レーザビームプリンタ等の電子写真方式に限られるものではなく、他のプリント方式のＭＦＰでもよい。
【００１１】
図１に示すＭＦＰ１００は、リムーバブルメディアＩ／Ｆ１１２、操作部１１１、印刷部１１３、及びスキャナ部１１４を備える。リムーバブルメディアＩ／Ｆ１１２は、ＵＳＢ差込口やカードリーダ部である。このリムーバブルメディアＩ／Ｆ１１２にＵＳＢメモリ等のリムーバブルメディアを接続することにより、外部記憶装置とＭＦＰ１００との間で、双方向に記憶情報の送受信が可能となる。操作部１１１は、ユーザ操作による、各種の指示や、文字、数字などのデータの入力を受け付ける操作部と、ユーザに対する指示メニューや取得した画像に関する情報などを表示する液晶などからなる表示部とを有している。スキャナ部１１４は、原稿を光学的に読み取って画像データを得る。印刷部１１３は、画像データに基づいて記録材上に画像を印刷する。
【００１２】
次に、図２を参照して、本実施形態におけるＭＦＰ１００のハードウェア構成について説明する。ＭＦＰ１００は、システム制御部２０１、印刷部１１３、スキャナ部１１４、操作部１１１、ハードディスク２２３、及び外部メモリＩ／Ｆ２２４を備える。また、システム制御部２０１は、ＣＰＵ２１１、ＲＡＭ２１２、ＲＯＭ２１３、ネットワークＩ／Ｆ２１５、印刷部Ｉ／Ｆ２１６、スキャナ部Ｉ／Ｆ２１７、ＭＣ（メモリコントローラ）２１８、及びモデムＩ／Ｆ２２５を備える。これらのシステム制御部２０１のコンポーネントは、システムバス２１４によって相互にデータ送受信が行えるように接続されている。また、ＲＯＭ２１３には、フォントＲＯＭ２１３ａ、プログラムＲＯＭ２１３ｂ、及びデータＲＯＭ２１３ｃのメモリ領域が割り当てられている。
【００１３】
ＣＰＵ２１１は、プログラムＲＯＭ２１３ｂの領域に記憶された制御プログラム、又は、ハードディスク２２３に記憶された制御プログラム等に基づいて処理を実行し、各種デバイスとのアクセスを総括的に制御する。また、プログラムＲＯＭ２１３ｂには、以下で説明するフローチャートに示すようなＣＰＵ２１１の制御プログラム等が記憶されてもよい。フォントＲＯＭ２１３ａには、スキャナ部１１４からの出力情報を生成する際に使用するフォントデータ等を記憶している。データＲＯＭ２１３ｃには、例えばハードディスク２２３が無いプリンタの場合には、ホストＰＣ２０上で利用される情報等を記憶している。
【００１４】
印刷部Ｉ／Ｆ２１６は、印刷部１１３に接続され、出力情報としての画像信号を出力する。スキャナ部Ｉ／Ｆ２１７は、スキャナ部１１４に接続され、スキャナ部１１４からの入力情報を処理する。ネットワークＩ／Ｆ２１５は、ネットワーク通信路２１９を介してホストＰＣ２０との通信処理が可能となっており、プリンタ内の情報等をホストＰＣ２０に通知する。また、ネットワークＩ／Ｆ２１５は、ネットワーク通信路２１９に接続されているため、インターネットへのアクセスが可能である。また、ＣＰＵ２１１は、モデムＩ／Ｆ２２５を介して公衆回線２２７に接続し、公衆回線２２７を介してデータの入出力を行う。
【００１５】
ＲＡＭ２１２は、ＣＰＵ２１１の主メモリ、ワークエリア等として機能し、図示しない増設ポートに接続されるオプションＲＡＭによりメモリ容量を拡張することができる。なお、ＲＡＭ２１２は、出力情報展開領域、環境データ格納領域、ＮＶＲＡＭ等に用いられる。ハードディスク２２３は、ＭＣ２１８によりアクセスを制御される。また、ハードディスク２２３は、オプションとして接続され、フォントデータ、エミュレーションプログラム、フォームデータ等を記憶する。また、リムーバブルメディア２１は、１つ以上備えられてもよい。例えば、内蔵フォントに加えて、オプションフォントカード、言語系の異なるプリンタ制御言語を解釈するプログラムを格納した複数の外部メモリが接続されてもよい。
【００１６】
操作部１１１には、操作のためのスイッチ及びＬＥＤ表示器等が設けられる。さらに、操作部１１１は、図示しないＮＶＲＡＭを備え、操作者からの入力によるプリンタモード設定情報を記憶してもよい。スキャナ部１１４は、原稿等を読み取り、スキャナ部I/F２１７を介して画像データを出力する。ネットワーク通信路２１９は、ホストＰＣ２０と所定のプロトコルで通信可能に構成されている。
【００１７】
リムーバブルメディアＩ／Ｆ１１２はＵＳＢ差込口やカードリーダ部として機能する。リムーバブルメディアＩ／Ｆ１１２は、外部記憶装置の記憶情報、例えば画像データを記憶するＵＳＢメモリやメモリカード等のリムーバブルメディア２１の挿入有無を検知する検知部を備える。さらに、リムーバブルメディアＩ／Ｆ１１２は、リムーバブルメディア２１の挿入状態を検知部によって検知すると、その旨をＣＰＵ２１１に通知する。上述の通知を受けたＣＰＵ２１１は、リムーバブルメディア２１を使用した機能の制御を行う。例えば、ＣＰＵ２１１は、リムーバブルメディア２１から画像データを読み出して印刷部１１３で印刷する機能や、スキャナ部１１４からの情報をリムーバブルメディア２１に保存する機能等を操作部１１１に表示する制御を行う。なお、リムーバブルメディアＩ／Ｆ１１２におけるカードリーダ部は、いわゆる複数の規格化されているメディアに対応したメモリスロットで構成される。よって、カードリーダ部は、メモリカードに換えて、他の形態のメモリから画像データを読み出し可能に構成されてもよい。なお、リムーバブルメディア２１に格納される情報は、例えばユーザがホストコンピュータにインストールされたアプリケーションを実行して作成したデータファイルなどである。例えば、データファイルには、イメージデータ、グラフィックスデータ、テキストデータ、又はこれらの組み合わせデータを含む各種のデータや、デジタルカメラで撮像された撮像データが含まれる。
【００１８】
＜スキャナ部の構成及び読取動作＞
次に、図３を参照して、本実施形態におけるスキャナ部１１４の主要構成及び読取動作について説明する。スキャナ部１１４は、自動搬送装置（ＡＤＦ）３１１及び読取部３１２を備える。ＡＤＦ３１１は、トレイ（原稿台）３０１、駆動ローラ３０２、及びセンサ３０４を備える。読取部３１２は、原稿台ガラス３０３、照明ランプ３０５、ミラー３０６、３０７、３０８、レンズ３０９及びＣＣＤセンサ３１０を備える。
【００１９】
トレイ３０１には、読み取り対象となる原稿３０が載置される。原稿３０は、駆動ローラ３０２によってトレイ３０１から一度原稿台ガラス３０３の面を通って、図３の矢印の方向へ等速で搬送される。また、センサ３０４は、搬送される原稿３０がトレイ３０１に載置されているか否かを検知する。
【００２０】
駆動ローラ３０２によって搬送されている原稿３０は、照明ランプ３０５により照射され、その反射光がミラー３０６、３０７、３０８を経て、レンズ３０９によりＣＣＤセンサ３１０上に結像される。ＣＣＤセンサ３１０に入力された反射光は、ＣＣＤセンサ３１０によって電気信号に変換され、その後、図示しないＡ／Ｄ変換器によってデジタルデータに変換され、スキャナ部Ｉ／Ｆ２１７を介してシステム制御部２０１に画素信号として入力される。
【００２１】
本実施形態における複数枚の原稿３０を搬送する搬送動作は、１枚目の原稿３０がセンサ３０４を通過した後に、次の原稿３０の搬送が開始される。これにより、１枚目の原稿３０が排紙されたときに、２枚目の原稿３０は照明ランプ３０５の位置まで搬送されることとなる。また、本実施形態に係るＡＤＦ３１１は、トレイ３０１に載置されている原稿を１枚ずつ搬送するとともに、原稿３０の搬送が開始されると、トレイ３０１に載置されている全ての原稿３０を搬送する。このような構成のＡＤＦ３１１は、安価であり、コストを低減するのに有効である。本実施形態に係る画像形成装置は、このようなＡＤＦ３１１を備えることを前提とする。
【００２２】
＜コピー制御＞
次に、図４を参照して、図３に示すＡＤＦを用いた本実施形態におけるコピー制御について説明する。ここでは、ＡＤＦに最大積載枚数以上の原稿が載置された場合を想定する。以下で説明する処理は、ＣＰＵ２１１がＲＯＭ２１３やハードディスク２２３に記憶された制御プログラムをＲＡＭ２１２にロードして実行することにより実現される。つまり、制御プログラムを実行することにより、ＣＰＵ２１１は、スキャナ部１１４及び印刷部１１３を制御し、コピー制御を実現する。なお、以下で示すＳに続く番号は、フローチャートの各ステップ番号を示す。
【００２３】
まず、Ｓ４０１において、ＣＰＵ２１１は、センサ３０４を使用してトレイ３０１に原稿が載置されているか否かを判定する。この判定は、定期的に繰り返され、原稿が載置されるとＳ４０２に進む。次に、Ｓ４０２において、ＣＰＵ２１１は、ユーザからのコピー実行指示を待ち、実行が指示された場合にジョブの実行を開始し、Ｓ４０３へ進む。ここで、ジョブとは、コピー、ファクシミリ送信、ＰＣスキャン送信など、ＭＦＰ１００が有する機能を実行する処理を示す。なお、図４のフローチャートではコピージョブとなり、後述する図６のフローチャートではファクシミリ送信ジョブとなり、後述する図８のフローチャートではＰＣスキャン送信ジョブとなる。
【００２４】
Ｓ４０３において、ＣＰＵ２１１は、原稿がトレイ３０１に載置されているか否かを判定する。ここで、原稿が載置されていない場合は処理を終了し、載置されている場合はＳ４０４へ進む。具体的には、ＣＰＵ２１１は、センサ３０４の出力を参照することにより、原稿がトレイ３０１に載置されているか否かを判定する。原稿が載置されていると、Ｓ４０４において、ＣＰＵ２１１は、コピー開始から原稿を読み取った枚数が制限枚数に到達したか否かを判定する。到達していない場合はＳ４０５に進み、到達した場合はＳ４０７に進む。ここで制限枚数とは、ＭＦＰ１００において予め定義された連続して処理可能な枚数を示す。この制限枚数を超えると、ジャム、ＡＤＦ故障、又は画像品質の低下などを引き起こすことになる。
【００２５】
制限枚数に到達していない場合、Ｓ４０５において、ＣＰＵ２１１は、スキャナ部１１４を制御して、原稿を読み取る。続いて、Ｓ４０６において、ＣＰＵ２１１は、印刷部１１３へ画像データを送り印刷を開始し、Ｓ４０３へ戻る。一方、制限枚数に到達している場合、Ｓ４０７において、ＣＰＵ２１１は、スキャナ部１１４に対して、トレイ３０１に載置された原稿の搬送だけを行うように指示し、全ての原稿の搬送が完了した後に処理を終了させる。つまり、Ｓ４０７では、原稿の搬送は継続するものの、原稿の読み取り及び読み取った画像データの印刷を停止し、コピージョブの処理を中断する。
【００２６】
また、図４のフローチャートには示していないが、ＣＰＵ２１１は、原稿の総数とコピーした原稿枚数をカウントし、図５に示すような、結果を操作部１１１へ表示してもよい。図５の表示画面５００は、図４のフローチャートで最大積載枚数を超えた原稿が載置された場合のコピー終了後に操作部１１１へ表示される画面の一例である。５０１は、コピー動作を正常に終了した原稿枚数を表し、５０２はコピー動作を行えなかった原稿枚数を表す。
【００２７】
このように、本実施形態に係る画像形成装置は、ＡＤＦ３１１によって１回のジョブで搬送された原稿の枚数が予め定められた最大積載枚数（制限枚数）を超えると、読取部３１２による読み取りを停止する。さらに、画像形成装置は、現在実行しているジョブの内容に従って当該ジョブの制御を変更する。図４のフローチャートではスキャナ部１１４で原稿から読み取った画像データを印刷部１１３で印刷するコピージョブを例に説明したが、他のジョブである場合はその内容に従って制御が変更される。したがって、当該フローチャートの処理を実行するＣＰＵ２１１は、制御変更手段として機能する。以下では、一括送信ジョブであるファクシミリ送信ジョブと、個別送信ジョブであるＰＣスキャン送信ジョブの例について説明する。
【００２８】
＜ファクシミリ送信制御＞
次に、図６を参照して、図３に示すＡＤＦを用いた本実施形態におけるファクシミリ送信制御について説明する。ここで説明するファクシミリ送信ジョブは、トレイ３０１に載置されている全ての原稿の読み取りが完了した後に、ＲＡＭ２１２やハードディスク２２３等に蓄積された画像データを、モデムＩ／Ｆ２２５によって外部装置に送信する一括送信ジョブである。ここでは、ＡＤＦに最大積載枚数以上の原稿が載置された場合を想定する。以下で説明する処理は、ＣＰＵ２１１がＲＯＭ２１３やハードディスク２２３に記憶された制御プログラムをＲＡＭ２１２にロードして実行することにより実現される。つまり、制御プログラムを実行することにより、ＣＰＵ２１１は、スキャナ部１１４を制御し、モデムＩ／Ｆ２２５を使用して画像データを送信する制御を実現する。なお、ここでは、図４のフローチャートと同様の処理を行なうステップについては、同一のステップ番号を付し、説明を省略する。
【００２９】
Ｓ４０５でスキャナ部１１４によって原稿を読み取ると、Ｓ６０１において、ＣＰＵ２１１は、画像データをＲＡＭ２１２へ保存し、Ｓ４０３へ処理を戻す。また、Ｓ４０３でトレイ３０１に原稿が載置されていないと判定されると、Ｓ６０２において、ＣＰＵ２１１は、Ｓ６０１でＲＡＭ２１２に保存した画像データがあれば、画像データの送信を行って、処理を終了する。また、Ｓ４０４で制限枚数に到達したと判定されると、Ｓ４０７でＣＰＵ２１１は、スキャナ部１１４に対してトレイ３０１に載置された原稿の搬送だけを行うように指示する。その後、全ての原稿の搬送が完了するとＳ６０３に進み、ＣＰＵ２１１は、原稿枚数が最大蓄積枚数を超えたため画像データの送信が行えなかった旨を示す表示画面（図示しない）を操作部１１１に表示し、ファクシミリ送信ジョブを中断して処理を終了する。
【００３０】
また、図６のフローチャートには示していないが、ＣＰＵ２１１は、Ｓ４０７の次に、図７に示すような送信可能な原稿枚数を表示し、ファクシミリ送信を開始するか否かを操作者に選択させる選択画面７００を操作部１１１に表示してもよい。この場合、操作者がファクシミリ送信を選択した場合はＳ６０２と同様の処理を実行し、ファクシミリ送信を選択しなかった場合はＳ６０３の処理を実行する。図７に示すように、選択画面７００において、ボタン７０１が選択された場合はファクシミリ送信が行なわれ、ボタン７０２が選択された場合はファクシミリ送信が行われない。
【００３１】
＜ＰＣスキャン送信制御＞
次に、図８を参照して、図３に示すＡＤＦを用いた本実施形態におけるＰＣスキャン送信制御について説明する。ここで説明するＰＣスキャン送信ジョブは、スキャナ部１１４によって原稿から画像データが読み取られるごとに、ホストＰＣ２０等の外部装置に画像データを送信する個別送信ジョブである。ここでは、ＡＤＦに最大積載枚数以上の原稿が載置された場合を想定する。以下で説明する処理は、ＣＰＵ２１１がＲＯＭ２１３やハードディスク２２３に記憶された制御プログラムをＲＡＭ２１２にロードして実行することにより実現される。つまり、制御プログラムを実行することにより、ＣＰＵ２１１は、スキャナ部１１４を制御し、ネットワークＩ／Ｆ２１５を使用して画像データをホストＰＣ２０へ送信する制御を実現する。なお、ここでは、図４のフローチャートと同様の処理を行なうステップについては、同一のステップ番号を付し、説明を省略する。
【００３２】
Ｓ４０５でスキャナ部１１４によって原稿を読み取ると、Ｓ８０１において、ＣＰＵ２１１は、画像データをホストＰＣ２０へ送信し、Ｓ４０３へ処理を戻す。また、Ｓ４０４で制限枚数に到達したと判定されると、Ｓ４０７でＣＰＵ２１１は、スキャナ部１１４に対してトレイ３０１に載置された原稿の搬送だけを行うように指示する。その後、全ての原稿の搬送が完了するとＳ８０２に進み、ＣＰＵ２１１は、ホストＰＣ２０へ原稿枚数が最大積載枚数へ到達したことを通知し、Ｓ８０３に進む。また、Ｓ４０３でトレイ３０１に原稿が載置されていないと判定されると、ＣＰＵ２１１は処理をＳ８０３に遷移させる。Ｓ８０３において、ＣＰＵ２１１は、ＰＣスキャン送信ジョブの終了処理を行い、処理を終了する。なお、ＰＣスキャン送信制御では、ＵＳＢ（Ｕｎｉｖｅｒｓａｌ  Ｓｅｒｉａｌ  Ｂｕｓ）を使ってホストＰＣ２０と通信を行う場合であっても本発明を適用することができる。
【００３３】
以上説明したように、本実施形態に係る画像形成装置は、読み取り対象の原稿の搬送を開始すると、トレイに載置されている全ての原稿を搬送するＡＤＦを備え、搬送した原稿の枚数が予め定められた枚数に到達すると、原稿の読み取りを停止する。さらに、本画像形成装置は、現在実行しているジョブがコピージョブである場合は、読み取った原稿については当該原稿の画像データを用いて印刷を実行し、トレイから搬送されたが読み取られなかった原稿については印刷しない。この場合、本画像形成装置は、正常に印刷が行なわれた枚数と、印刷が行なわれなかった枚数を表示部に表示してもよい。また、本画像形成装置は、現在実行しているジョブが一括送信ジョブである場合は、現在までに蓄積された画像データを外部装置に送信することなく、当該一括送信ジョブを中断する。この場合、本画像形成装置は、一括送信ジョブを中断する前に、操作者に対して現在までに蓄積されている画像データを外部装置に送信するか否かを選択させてもよい。また、本画像形成装置は、現在実行しているジョブが個別送信ジョブである場合、読み取った原稿については当該原稿の画像データの送信を実行する。そして、トレイから搬送されたが読み取られなかった原稿については、送信先の外部装置に対して一部の画像データの送信ができなかったことを通知する。このように、本画像形成装置は、搬送した原稿の枚数が予め定められた枚数に到達すると、現在実行しているジョブの内容に従って当該ジョブの制御を変更する。これにより、本画像形成装置は、安価なＡＤＦを用いて装置が構成され、複雑な制御を必要とすることなく、最大積載枚数を超える原稿の処理を好適に制御し、ジャム、ＡＤＦ故障及び画質の劣化を抑制することができる。
【００３４】
＜他の実施形態＞
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005517502.tif 000002
【図２】
0005517502.tif 000003
【図３】
0005517502.tif 000004
【図４】
0005517502.tif 000005
【図５】
0005517502.tif 000006
【図６】
0005517502.tif 000007
【図７】
0005517502.tif 000008
【図８】
0005517502.tif 000009